(57)【要約】【課題】トレーリングアームに対するキャリアブラケットの取り付けの手間を軽減しながら、当該取り付け部位の取り付け強度を可及的に向上可能とするサスペンションアクスルの提供。【解決手段】サスペンションアクスル１は、外形が四角い形状のトーションビーム２、左右のトレーリングアーム３，４と、左右のキャリアブラケット５，６と、左右のアクスルユニット７，８と、を備える。キャリアブラケット５，６は、板状のブラケットボディ５１，６１と、上側突片５３，６３と、下側突片（右側のみ記載、６４）と、を有する。上側突片５３，６３の先端側が、トレーリングアーム３，４の長手方向に沿うように湾曲されている。この湾曲部分を湾曲部５５，６５と言う。【選択図】図１
2020128195.tif 000002
【特許請求の範囲】
【請求項１】
車両左右方向に延びるトーションビームと、このトーションビームの左端および右端に連結される左右のトレーリングアームと、各トレーリングアームにそれぞれ取り付けられる左右のキャリアブラケットと、各キャリアブラケットにそれぞれ取り付けられる左右のアクスルユニットと、を備え、
前記トレーリングアームは、外形が四角い形状とされ、
前記キャリアブラケットは、前記アクスルユニットが取り付けられる板状のブラケットボディと、このブラケットボディの一側および他側から車両左右方向の内側へ向けて突出して前記トレーリングアームの上壁部に沿うように当接されて接合される上側突片と、前記ブラケットボディの一側および他側から車両左右方向の内側へ向けて突出して前記トレーリングアームの下壁部に沿うように当接されて接合される下側突片と、を有し、
前記上側突片の先端側が、前記トレーリングアームの長手方向に沿うように湾曲されている、ことを特徴とするサスペンションアクスル。
【発明の詳細な説明】
【技術分野】
【０００１】
本発明は、例えば自動車の後部に用いられるサスペンションアクスルに関する。
【背景技術】
【０００２】
例えば特許文献１には、自動車の後部のサスペンション構造が記載されている。このサスペンション構造は、車幅方向に延びるトーションビームと、このトーションビームの左端および右端に連結される左右のトレーリングアームと、各トレーリングアームにそれぞれ取り付けられる左右のアクスルブラケットと、各アクスルブラケットにそれぞれ取り付けられる左右のアクスルユニットと、を備えている。
【０００３】
前記アクスルブラケットには、第１、第２補助部材が設けられており、第１、第２補助部材が前記トレーリングアームに溶接されている。
【０００４】
前記アクスルユニットは、ハブと、ハウジングと、を備えている。前記ハブには、ブレーキディスク、ブレーキキャリパならびに車輪等が取り付けられる。前記ハウジングは、前記ハブの軸部を多数のボールを介して回転自在に支持する。
【先行技術文献】
【特許文献】
【０００５】
【特許文献１】特開２０１８−１６１９８７号公報
【発明の概要】
【発明が解決しようとする課題】
【０００６】
上記特許文献１では、前記第２補助部材の先端を爪形状にし、この第２補助部材を前記トレーリングアームの内側縦壁の上角部に引っ掛けるようにしており、そのために、前記第２補助部材を前記トレーリングアームに溶接するための際に、位置合わせするときの作業に手間がかかることが懸念される。
【０００７】
仮に、前記第２補助部材の先端を爪形状とせずに平坦にすれば、前記位置合わせが簡単に行えるようになるが、その場合には、前記アクスルブラケットに入力される車両左右方向の荷重が前記第２補助部材の先端に集中して溶接剥がれを起こしやすくなることが懸念される。
【０００８】
このような事情に鑑み、本発明は、トレーリングアームに対するキャリアブラケットの取り付けの手間を軽減しながら、当該取り付け部位の取り付け強度を可及的に向上可能とするサスペンションアクスルの提供を目的としている。
【課題を解決するための手段】
【０００９】
本発明に係るサスペンションアクスルは、車両左右方向に延びるトーションビームと、このトーションビームの左端および右端に連結される左右のトレーリングアームと、各トレーリングアームにそれぞれ取り付けられる左右のキャリアブラケットと、各キャリアブラケットにそれぞれ取り付けられる左右のアクスルユニットと、を備え、前記トレーリングアームは、外形が四角い形状とされ、前記キャリアブラケットは、前記アクスルユニットが取り付けられる板状のブラケットボディと、このブラケットボディの一側および他側から車両左右方向の内側へ向けて突出して前記トレーリングアームの上壁部に沿うように当接されて接合される上側突片と、前記ブラケットボディの一側および他側から車両左右方向の内側へ向けて突出して前記トレーリングアームの下壁部に沿うように当接されて接合される下側突片と、を有し、前記上側突片の先端側が、前記トレーリングアームの長手方向に沿うように湾曲されている、ことを特徴としている。
【００１０】
この構成によれば、前記トレーリングアームに前記キャリアブラケットを取り付ける際には、前記トレーリングアームの外側から前記キャリアブラケットを横方向にスライドさせて、当該キャリアブラケットの上側突片と下側突片とブラケットボディとで作る横向き凹状の空間部分を前記トレーリングアームの外側から嵌め合わせることにより、前記上側突片を前記トレーリングアームの上壁部に沿わせるように当接させるとともに、前記下側突片を前記トレーリングアームの下壁部に沿わせるように当接させて、当該各当接部分を溶接等により接合することが可能になる。
【００１１】
このような接合形態では、前記キャリアブラケットを横方向に直線的にスライドさせるだけの簡単な作業でもって前記トレーリングアームに確実に位置合わせすることが可能になるとともに、当該位置合わせ作業を行うための設備を簡素にすることが可能になる。
【００１２】
また、前記上側突片の先端側の湾曲部分の存在により、前記湾曲部分を設けない場合に比べると、前記トレーリングアームの上壁部に対する前記上側突片全体の当接領域が長くなるので、当該当接領域の接合強度（取り付け強度に相当）が可及的に向上することになる。
【００１３】
しかも、前記湾曲部分の存在により、上述したサスペンションアクスルにおいて前記キャリアブラケットに車両左右方向の荷重が入力されたときに、前記上側突片の先端への応力集中を緩和することが可能になるので、前記接合部分が剥がれにくくなる。
【発明の効果】
【００１４】
本発明によれば、トレーリングアームに対するキャリアブラケットの取り付けの手間を軽減しながら、当該取り付け部位の取り付け強度を可及的に向上可能とするサスペンションアクスルを提供することができる。
【図面の簡単な説明】
【００１５】
【図１】本発明に係るサスペンションアクスルの一実施形態を示す斜視図である。
【図２】図１の一部を拡大して示す図である。
【図３】トレーリングアームにキャリアブラケットを取り付けるときの様子を示す図である。
【発明を実施するための形態】
【００１６】
以下、本発明を実施するための最良の実施形態について添付図面を参照して詳細に説明する。
【００１７】
図１から図３に本発明の一実施形態を示している。図中、１はサスペンションアクスルである。
【００１８】
このサスペンションアクスル１は、トーションビーム２、左右のトレーリングアーム３，４、左右のキャリアブラケット５，６、左右のアクスルユニット（図２は右側のみ記載７）等を備えている。
【００１９】
トーションビーム２は、車幅方向に延びるように車体に組み付けられる。このトーションビーム２の左端および右端には、トレーリングアーム３，４が連結されている。なお、トーションビーム２にトレーリングアーム３，４を連結した組立体を中間ビームと呼んでいる。
【００２０】
トレーリングアーム３，４は、図３に示すように、車両左右方向で二つの部材を接合することにより、外形がほぼ四角い形状の中空構造とされている。
【００２１】
キャリアブラケット５，６は、各トレーリングアーム３，４にそれぞれ取り付けられている。このキャリアブラケット５，６は、ブラケットボディ５１，６１の左右に側壁部５２，６２を設けた構成である。
【００２２】
ブラケットボディ５１，６１は、板状に形成されており、アクスルユニット７が取り付けられる。
【００２３】
側壁部５２，６２は、ブラケットボディ５１，６１の左側および右側から車両左右方向の内側へ向けて突出されていて、突出方向の先端側から付け根側へ凹む横向きの凹状部（図２は右側のみ記載６２ａ）が設けられている。
【００２４】
この凹状部６２ａを設けることによって、側壁部５２，６２の上側と下側とに突片が作られている。上側突片に符号５３，６３を付しているが、下側突片は図において右側のみを記載して符号６４を付している。
【００２５】
上側突片５３，６３は、トレーリングアーム３，４の上壁部に沿うように当接され、下側突片６４は、トレーリングアーム３，４の下壁部に沿うように当接される。
【００２６】
アクスルユニット７は、各キャリアブラケット５，６にそれぞれ取り付けられている。
【００２７】
このアクスルユニット７は、詳細に図示していないが、例えばブレーキディスク、ブレーキキャリパならびに車輪等が取り付けられるハブベアリングや、図２に示すようなブレーキディスクカバー８を含む。
【００２８】
この実施形態では、トレーリングアーム３，４に対するキャリアブラケット５，６の取り付けの手間を軽減しながら、当該取り付け強度を可及的に向上するように工夫している。
【００２９】
具体的に、上側突片５３，６３の先端側は、トレーリングアーム３，４の長手方向に沿うように湾曲されている。この湾曲部分を湾曲部５５，６５と言う。
【００３０】
この湾曲部５５，６５は、上側突片５３，６３の先端側を途中部位に対してほぼ直交するように屈曲させることにより形成されており、当該途中部位と前記先端側との交差部位を丸く湾曲させるようにしている。この湾曲部５５，６５は上側突片５３，６３と同様にトレーリングアーム３，４の上壁部に当接される。
【００３１】
そして、トレーリングアーム３，４にキャリアブラケット５，６を取り付ける際には、図３の二点鎖線で示すように、トレーリングアーム３，４の外側からキャリアブラケット５，６を横方向にスライドさせて、キャリアブラケット５，６の側壁部５２，６２の横向きの凹状部６２ａ（上側突片５３，６３と下側突片６４とブラケットボディ５１，６１とで作る横向き凹状の空間部分）をトレーリングアーム３，４の外側から嵌め合わせることにより、上側突片５３，６３および湾曲部５５，６５をトレーリングアーム３，４の上壁部に沿わせるように当接させるとともに、下側突片６４をトレーリングアーム３，４の下壁部に沿わせるように当接させて、当該各当接部分を溶接等により接合する。
【００３２】
このような接合形態では、キャリアブラケット５，６を横方向に直線的にスライドさせるだけの簡単な作業でもってトレーリングアーム３，４に確実に位置合わせすることが可能になるとともに、当該位置合わせ作業を行うための設備を簡素にすることが可能になる。
【００３３】
また、上側突片５３，６３の先端側の湾曲部５５，６５の存在により、湾曲部５５，６５を設けない場合に比べると、トレーリングアーム３，４の上壁部に対する上側突片５３，６３全体の当接領域が長くなるので、当該当接領域の接合強度（取り付け強度に相当）が可及的に向上することになる。
【００３４】
しかも、前記湾曲部５５，６５の存在により、上述したサスペンションアクスル１においてキャリアブラケット５，６に入力される車両左右方向の荷重に対し、上側突片５３，６３の先端への応力集中を緩和することが可能になるので、前記接合部分が剥がれにくくなる。
【００３５】
以上説明したことから、本発明を適用した実施形態によれば、トレーリングアーム３，４に対するキャリアブラケット５，６の取り付けの手間を軽減しながら、当該取り付け部位の取り付け強度を可及的に向上することが可能になる。
【００３６】
ところで、上記のような位置合わせ作業であれば、車種毎に異なるトレッドに関係なく、前記接合作業時に用いる治具を共通利用できるようになる。
【００３７】
具体的に、車種毎にトレッドが異なる場合、トレッドの大小に応じて個別に専用のキャリアブラケット５，６を用いる必要があるが、その場合、例えば図示していないが、前記各専用のキャリアブラケット５，６の側壁部５２，６２の突出寸法を前記トレッドに対応付けて大小変更するようにしておけば、当該キャリアブラケット５，６をトレーリングアーム３，４に接合する際の位置合わせ作業の設備を共通利用できるようになるとともに、前記接合作業時に用いる治具を共通利用できるようになる。
【００３８】
なお、本発明は、上記実施形態のみに限定されるものではなく、特許請求の範囲内および当該範囲と均等の範囲内で適宜に変更することが可能である。
【００３９】
例えば上記実施形態では、湾曲部５５，６５を外向きに湾曲させた例を挙げているが、本発明はこれのみに限定されるものではなく、例えば図示していないが、湾曲部５５，６５を内向きに湾曲させることも可能である。
【００４０】
例えば形態にすることが可能であり、このような形態も本発明に含まれる。
【産業上の利用可能性】
【００４１】
本発明は、自動車の後部に用いられるサスペンションアクスルに好適に利用することが可能である。
【符号の説明】
【００４２】
１  サスペンションアクスル
２  トーションビーム
３  左側のトレーリングアーム
４  右側のトレーリングアーム
５  左側のキャリアブラケット
５１  ブラケットボディ
５２  側壁部
５３  左右の上側突片
５５  湾曲部
６  右側のキャリアブラケット
６１  ブラケットボディ
６２  側壁部
６２ａ  凹状部
６３  左右の上側突片
６４  左右の下側突片
６５  湾曲部
７  右側のアクスルユニット
８  ブレーキディスクカバー
【図１】
2020128195.tif 000003
【図２】
2020128195.tif 000004
【図３】
2020128195.tif 000005